(57)【要約】【課題】  常温で液体の高純度化学薬品で、消防法上の危険物に該当するものを封入したタンクであっても、冬季や、冬季に限らずとも寒冷地を目的地とする長時間の運搬においてその内容物を凝固させることなく、正常且つ安全に運搬することのできるタンク運搬用コンテナ及びこれを用いた運搬方法を提供する。【解決手段】  常温で液体の高純度化学薬品が封入されたタンク５を運搬するためのタンク運搬用コンテナ１である。タンク５を収納するタンク収納部２と、タンク５の内容物２０を保温するための蓄熱材６を収納する蓄熱材収納部３と、タンク収納部２及び蓄熱材収納部３の周囲に配設され、タンク５を保温する保温部材４と、を備える。【選択図】    図１
2005212893.tif 000002
【特許請求の範囲】
【請求項１】
常温で液体の高純度化学薬品が封入されたタンクを運搬するためのタンク運搬用コンテナにおいて、
前記タンクを収納するタンク収納部と、前記タンクの内容物を保温するための蓄熱材を収納する蓄熱材収納部と、前記タンク収納部及び前記蓄熱材収納部の周囲に配設され、前記タンクを保温する保温部材と、を備えることを特徴とするタンク運搬用コンテナ。
【請求項２】
前記蓄熱材収納部が前記タンク収納部の下部に形成されている請求項１記載のタンク運搬用コンテナ。
【請求項３】
前記タンク収納部へのタンクの出し入れを容易にするために前記保温部材が２つに分割自在に形成されている請求項１または２記載のタンク運搬用コンテナ。
【請求項４】
前記蓄熱材収納部に蓄熱材が収納されている請求項１〜３のうちいずれか一項記載のタンク運搬用コンテナ。
【請求項５】
前記蓄熱材が、放熱可能な状態に蓄熱されている請求項４記載のタンク運搬用コンテナ。
【請求項６】
常温で液体の高純度化学薬品が封入されたタンクを請求項５記載のタンク運搬用コンテナで運搬するにあたり、前記タンクを前記タンク収納部に収納した後に目的地へ運搬することを特徴とする、常温で液体の高純度化学薬品が封入されたタンクの運搬方法。
【請求項７】
常温で液体の高純度化学薬品がＣＶＤ原料である請求項６記載の運搬方法。
【請求項８】
常温で液体の高純度化学薬品が危険物である請求項６または７記載の運搬方法。
【発明の詳細な説明】
【技術分野】
【０００１】
本発明は、常温で液体の高純度化学薬品が封入されたタンク（以下「液体高純度薬品タンク」とも称する）を運搬するためのコンテナ及びこのコンテナを用いて液体高純度薬品タンクを運搬する方法に関し、特には、高純度化学薬品がＣＶＤ原料であったり危険物に該当するものであっても、これら高純度化学薬品を正常且つ安全に運搬することのできるコンテナ及びこれを用いた運搬方法に関する。
【背景技術】
【０００２】
従来より常温で液体の高純度化学薬品、例えば、半導体チップなどの製造に利用される電子材料としての高純度化学薬品は、タンクに封入されて運搬されている。かかる高純度化学薬品は、常温で液体であっても比較的融点の高い、例えば、−２０℃〜２０℃程度の融点を有する化学薬品である場合に、冬季や、冬季に限らずとも寒冷地を目的地とする場合などでは、しばしば凝固してしまうことがある。
【０００３】
高純度化学薬品が凝固してしまうと、使用時に加熱する手間がかかり、また、一旦凝固するとタンク内にパーティクルが発生してしまい、高純度が保てなくなるなどの問題が発生する。このため、常温で液体の高純度化学薬品は液体のままでの運搬が求められており、極短時間の運搬の場合には、液体高純度薬品タンクを保温材などで覆うことが行われている。
【０００４】
一方、冬季や、冬季に限らずとも寒冷地を目的地とする長時間の運搬においては、液体高純度薬品タンクを保温材などで覆うだけでは不十分であることから、特許文献１に記載のように、保温に加えヒータにより加熱し続けて保管することが行われていた。
【特許文献１】特開平９−１１８５９６号公報（［００２３］、図２）
【発明の開示】
【発明が解決しようとする課題】
【０００５】
しかしながら、液体高純度薬品タンクをヒーターにより加熱すると、制御系の故障などが発生した場合に過加熱となる可能性があることから、常温で液体の高純度化学薬品、特に、ＣＶＤ原料などの電子材料用の化学薬品などのうち、消防法上の危険物に該当するものに対してはヒーターを使用することができなかった。即ち、ヒーターを内蔵する液体高純度薬品タンクの運搬用コンテナは、きわめて限られた場合にしか使用することができなかった。
【０００６】
そこで本発明の目的は、常温で液体の高純度化学薬品で、消防法上の危険物に該当するものを封入したタンクであっても、冬季や、冬季に限らずとも寒冷地を目的地とする長時間の運搬においてその内容物を凝固させることなく、正常且つ安全に運搬することのできるタンク運搬用コンテナ及びこれを用いた運搬方法を提供することにある。
【課題を解決するための手段】
【０００７】
本発明者らは、上記に鑑み鋭意研究の結果、本発明に到達した。
即ち、本発明のタンク運搬用コンテナは、常温で液体の高純度化学薬品が封入されたタンクを運搬するためのタンク運搬用コンテナにおいて、
前記タンクを収納するタンク収納部と、前記タンクの内容物を保温するための蓄熱材を収納する蓄熱材収納部と、前記タンク収納部及び前記蓄熱材収納部の周囲に配設され、前記タンクを保温する保温部材と、を備えることを特徴とするものである。
【０００８】
本発明のタンク運搬用コンテナにおいては、前記蓄熱材収納部が前記タンク収納部の下部に形成されていることが好ましく、また、前記タンク収納部へのタンクの出し入れを容易にするために前記保温部材が２つに分割自在に形成されていることが好ましい。
【０００９】
また、本発明は、前記蓄熱材収納部に蓄熱材が収納されているタンク運搬用コンテナであり、さらに、前記蓄熱材が、放熱可能な状態に蓄熱されているタンク運搬用コンテナである。
【００１０】
さらに、本発明は、常温で液体の高純度化学薬品が封入されたタンクを前記タンク運搬用コンテナで運搬するにあたり、前記タンクを前記タンク収納部に収納した後に目的地へ運搬することを特徴とする、常温で液体の高純度化学薬品が封入されたタンクの運搬方法である。
【００１１】
本発明の運搬方法においては、常温で液体の高純度化学薬品としてＣＶＤ原料または危険物を好適に運搬することができる。
【発明の効果】
【００１２】
本発明によれば、常温で液体の高純度化学薬品で、消防法上の危険物に該当するものを封入したタンクであっても、冬季や、冬季に限らずとも寒冷地を目的地とする長時間の運搬においてその内容物を凝固させることなく、正常且つ安全に運搬することができる。
【発明を実施するための最良の形態】
【００１３】
以下、本発明を実施するための最良の形態を図面に基づき具体的に説明する。  図１は、本発明の好適例の液体高純度薬品タンク運搬用コンテナ１の概略的断面図である。図示するコンテナ１は、タンク５を収納するタンク収納部２と、タンク５の内容物２０を保温するための蓄熱材６を収納する蓄熱材収納部３と、タンク収納部２及び蓄熱材収納部３の周囲に配設されタンク５を保温する保温部材４（４ａ，４ｂ）と、を備えている。
【００１４】
図示する例では、蓄熱材収納部３がタンク収納部２の下部に形成されており、その中に蓄熱材６が収納されている。蓄熱材収納部３の形成個所は、収納されたタンク５を良好に保温できる個所であればよく、かかる観点から、好ましくはタンク収納部２の下部とする。この場合、蓄熱材収納部３の底面は、タンク５の重量を分散させるために、図１に示すように、タンク荷重受け板７を配設することが好ましい。また、蓄熱材収納部３の側部周囲を構成する構造材料８は、タンク５を保持できる程度の剛性を有するものを選択する。
【００１５】
また、図示する例では、保温部材４がタンク収納部２へのタンク５の出し入れを容易にするために、上部保温部材４ａと下部保温部材４ｂとの２つに分割自在に形成されている。尚、保温部材４は、必ずしも上部保温部材４ａと下部保温部材４ｂとの２つに分離する必要はなく、扉状に開閉できるように蝶番などで連結されていても差し支えない。また、図示はしないが、３つ以上に分割可能であっても差し支えない。但し、その場合は保温効率が低下するので、好ましくは２つに分割自在に形成する。
【００１６】
図１に示すように、タンク収納部２及び蓄熱材収納部３は、これらの周囲に配設される保温部材４が形作る空間として構成されていてもよく、あるいは、硬質プラスチック（例えば、硬質ポリ塩化ビニル樹脂、各種繊維強化プラスチックなど）、金属（例えば、アルミニウム、アルミニウム合金、鉄、綱、ステンレススチールなど）、および木材などの構造材料により骨組みを構成し、その骨組みと保温部材とにより形作る空間として構成されていてもよい。
【００１７】
尚、骨組みは特にその形状に限定はなく、コンテナ全体として構造耐性を与えるものであればよく、例えば、コンテナ全体の外殻であってもよい。
【００１８】
骨組みをコンテナ全体の外殻とする場合、図２に示すような２分割式コンテナ１とすることができる。この場合、タンク収納部２及び蓄熱材収納部３は、上部保温部材４ａを包囲する内部構造材料９ａおよび外殻構成材料１０ａのうちの内部構造材料９ａと、同様に下部保温部材４ｂを包囲する内部構造材料９ｂおよび外殻構成材料１０ｂのうちの内部構造材料９ｂと、により形作る空間として構成される。
【００１９】
保温部材４は、その周囲を内部構造材料９ａ、９ｂおよび外殻構成材料１０ａ、１０ｂで包囲する場合や、他の骨組みを使用する場合には、特に材質は限定されるものではなく、どのような保温部材４でも使用することができる。例えば、発泡ポリウレタン、発泡ポリプロピレン、発泡ポリエチレン、発泡ポリスチレン、綿、ポリエステル綿、グラスウールなどを挙げることができる。
【００２０】
また、かかる内部構造材料９ａ、９ｂおよび外殻構成材料１０ａ、１０ｂや、他の骨組みを使用しないか（図１）、またはコンテナ１の頂点部のみなどの限られた箇所であってコンテナ１全体の構造耐性を与える程度の構造材料を使用しない場合には、保温部材４自体がタンク５を保持できる程度の剛性を有するものを選択するとよい。
【００２１】
なお、特に蓄熱材収納部３を含めたタンク収納部２の下部には、タンクの重量を分散させるために、図１に示すタンク荷重受け板７や図２に示す内部構造材料９ｂを併用することが好ましい。
【００２２】
図３は、蓄熱材収納部３を有するタンク収納部２の下部に、図２に示す内部構造材料９ｂを併用したときの、その内部構造材料９ｂの内部構造を示す図である。内部構造材料９ｂの底面の略中心領域には蓄熱材収納部３としての凹部が形成されており、その中に蓄熱材６が収納されている。また、蓄熱材収納部３の周囲を構成する構造材料８は、円筒状のタンク５が載置されるため円形に形成され、その４隅にはタンク５を保持する保持部１１が形成されている。保持部１１の高さはタンク５を保持できればよく、特に制限されるべきものではない。かかる保持部１１は、図２に示すように、構造材料９ａの上部にも形成しておくことが好ましい。
【００２３】
本発明のコンテナ１は、蓄熱材収納部３に蓄熱材６を収納したものとすると、タンク５をタンク収納部２に収納するだけで直ちに使用することができるので好ましい。この場合、別途、一時的な蓄熱材加熱手段、例えばヒーターなど（図示せず）を併設して、タンク５の収納後に蓄熱材６に蓄熱することもできるが、蓄熱材６は放熱可能な状態に予め蓄熱されたものとすることが好ましい。このようにすることは、タンク５に封入される常温で液体の高純度化学薬品が消防法上の危険物である場合に、特に好ましい。
【００２４】
本発明に使用し得る蓄熱材６としては特に限定されるものではないが、好ましくは、潜熱型の蓄熱材であり、これは、タンク５に封入される常温で液体の高純度化学薬品が消防法上の危険物である場合に、特に好ましい。即ち、潜熱型蓄熱材は蓄熱剤化合物の融点以上の温度に発熱することがなく、仮にアクシデントで熱が篭ってしまった場合には、蓄熱剤化合物は凝固しなくなり、或いは一旦凝固した蓄熱剤化合物が再融解するなどして温度を一定に保つことができるからである。
【００２５】
この様な蓄熱材は、運搬を所望する高純度化学薬品の融点（もしくは凝固点）に応じて、その融点よりやや高め（外気温にもよるが、例えば５〜１０℃程度高め）の発熱温度（融点もしくは凝固点）を有する蓄熱剤化合物を容器内に封入したものであることが好ましい。
【００２６】
これら蓄熱剤化合物あるいは容器の材質は、運搬を所望する高純度化学薬品によって様々なので一概に規定することはできないが、例えば、融点１７．５℃のオクタメチルシクロテトラシロキサンが運搬を所望する高純度化学薬品であり、外気温０℃での運搬であれば、融点２５℃のポリエチレングリコールを蓄熱剤化合物としてポリプロピレン容器に封入した潜熱型蓄熱材を使用することができる。
【００２７】
その他、高純度化学薬品の種類に応じて、種々の発熱温度（融点もしくは凝固点）を有する蓄熱剤化合物を差し支えなく使用することができる。
【００２８】
本発明の、液体高純度薬品が封入されたタンクの運搬方法は、上記した本発明のコンテナ１のタンク収納部２にタンク５を収納して運搬するものである。２分割式のコンテナ１の運搬に際しては、図４に示すように、ベルト保持具１４で予めコンテナに取り付けられているベルト１２同士をバックル１３を介して締結することが好ましい。また、外殻構造材料１０ｂの底部の４隅にキャスター１５を固着しておくことにより、コンテナの移動を人力により円滑に行うことができる。
【図面の簡単な説明】
【００２９】
【図１】本発明の好適例の液体高純度薬品タンク運搬用コンテナの概略的断面図である。
【図２】本発明の好適例の２分割式コンテナの斜視図である。
【図３】図２に示すコンテナの上部の内部構造を示す斜視図である。
【図４】図２に示すコンテナの運搬時の様子を示す斜視図である。
【符号の説明】
【００３０】
１  コンテナ
２  タンク収納部
３  蓄熱材収納部
４，４ａ，４ｂ  保温部材
５  タンク
６  蓄熱材
７  タンク荷重受け板
８  構造材料
９ａ，９ｂ  内部構造材料
１０ａ，１０ｂ  外殻構造材料
１１  保持部
１２  ベルト
１３  バックル
１４  ベルト保持具
１５  キャスター
２０  内容物（常温で液体の高純度化学薬品）
【図１】
2005212893.tif 000003
【図２】
2005212893.tif 000004
【図３】
2005212893.tif 000005
【図４】
2005212893.tif 000006